(57)【要約】【課題】  送信側で即時発声の指示をして送信することが可能であり、受信者側で選択操作をすることなく即時に強制的にメッセージを音声で出力できるようにすること。【解決手段】  送信側に、即時発声を指示する入力部１と、即時発声フラグを付加するメールヘッダ付加部２を設け、送信するメールに音声データを添付して送信する場合、あるいはテキストデータを送信し受信側で音声として発声させる場合、メールヘッダに即時発声フラグを付加して送信する。また、受信側に、即時発声フラグがメールヘッダに設定されているかチェックして、通常メールと即時発声メールかを判定するヘッダ解析部７と、即時発声メールの場合に音声で発声する発声部９とを設け、メールを受信したら、メールヘッダに即時発声フラグが付加されている場合、メールに添付された音声データあるいはテキストデータを音声合成して即時に音声として出力する。【選択図】          図１
2006338335.tif 000002
【特許請求の範囲】
【請求項１】
メールの送受信機能を備えた携帯端末であって、
音声データもしくは文字データをメールに添付して送信する手段と、
即時発声指示を指定する入力手段と、
上記即時発声指示が指定されたメールについて、該メールが相手先で受信された際、該メールを即時に音声で発声するように指示する即時発声フラグを該メールのメールヘッダ部に設定する即時発声設定手段とを備えた
ことを特徴とする即時発声メール送受信機能を備えた携帯端末装置。
【請求項２】
データが添付されたメールを受信した際、該メールに、該メールを即時に音声で発声するように指示する即時発声フラグが設定されているか判定する手段と、
即時発声フラグが設定されているメールについて、メールに添付された音声データを即時に発声する手段、および／またはメールに添付された文字データを音声データに変換し、即時に発声する手段とを備えた
ことを特徴とする請求項１記載の即時発声メール送受信機能を備えた携帯端末装置。
【請求項３】
人の有無を検出する人体センサと、
該人体センサにより検出された人の有無に応じて、上記音声で出力する手段の動作をオン／オフする手段を備えた
ことを特徴とする請求項２記載の即時発声メール送受信機能を備えた携帯端末装置。
【請求項４】
受信側での即時発声時の音量を指定する音量指定手段と、
即時発声指示が指定されたメールについて、上記音量指定手段で設定された音量データを該メールに設定する手段と、
即時発声フラグが設定されているメールを受信した際、該メールに設定された音量データに基づき、添付されたデータの音声による発声時の音量を設定する手段を備えた
ことを特徴とする請求項２または請求項３記載の即時発声メール送受信機能を備えた携帯端末装置。
【発明の詳細な説明】
【技術分野】
【０００１】
本発明は、メール送受信機能を備えた携帯電話等の携帯端末装置に関し、特にメールを受信した際、即時に音声で発声するようにした携帯端末装置に関するものである。
【背景技術】
【０００２】
従来から、音声メッセージからなる音声メールを着呼側に送信することができる携帯電話装置が知られている（例えば特許文献１参照）。音声メッセージからなる音声直送メッセージを直送することで、発呼側で操作キーによる煩わしい文字入力が不要になり、また、着呼側では、メールボックスから取り出す際の煩わしい操作が不要となる。
特許文献１に記載のものは、音声メールの送信に先立ち、着呼側に対して直送予告を送信し、受信側では、発呼側からの直送予告を受信すると、発呼側に音声直送メールの受信可能の信号を返信するようにしたものである。
【特許文献１】特開２００２−２６１９７４号公報
【発明の開示】
【発明が解決しようとする課題】
【０００３】
上記したように、情報端末機器操作の不慣れな人用に、音声メッセージからなる音声メールを着呼側に送信し、着呼側側で、メールを音声で発声するようにした携帯電話装置が知られている。
しかし、従来のものは、音声メールを受信するか否かの選択条件を受信者側で設定するものであり、不慣れな人は選択条件を設定しなかったり、また受信拒否をしているときでも緊急に音声通知を送る場合や強制で音声通知をする必要がある場合などがあり、音声メール送信機能は送信者の希望を満足できるものではなかった。
受信者側が格別の選択操作をすることなく、送信側の指示で即時に音声発声機能が働くものが望ましいと考えられるが、従来においては、送信側で即時発声かどうかの指示をして送信する機能を備えた携帯端末装置は存在しなかった。
本発明は上述した従来の問題点を解決するためになされたものであって、その目的は、送信側で即時発声の指示をして送信することが可能であり、受信者側の端末で選択操作をすることなく即時に受信端末で強制的に音声でメッセージを伝えることができる携帯端末装置を提供することである。
【課題を解決するための手段】
【０００４】
本発明においては、送信側に、図１（ａ）に示すように、メールが相手先で受信された際、該メールを即時に音声で発声するように指示する入力部１と、即時発声指示があった場合、メールヘッダに即時発声フラグを付加するメールヘッダ付加部２と、音声メッセージもしくはテキストのメッセージを入力するメッセージ入力部３と、メッセージをメールデータに作り上げるメールデータ作成部４と、メールサーバへメールを送信する送信部５とを設ける。
また、受信側に、図１（ｂ）に示すように、メールサーバからメールを受信する受信部６と、メールヘッダに即時発声フラグが設定されているかチェックして、通常メールと即時発声メールかを判定するヘッダ解析部７と、即時発声フラグが付されていないメールについて、受信したメールを通常メールとして処理する通常メール処理部８と、即時発声メールの場合に音声で発声する発声部９とを設ける。
送信するメールに音声データファイルを添付して送信する場合、あるいはメッセージとしてテキストデータを送信し受信側で音声として発声させる場合、メールヘッダに即時発声フラグを付加してメールサーバに送信する。
受信側では、メールサーバからメールを受信したら、メールヘッダに即時発声フラグが付加されているかを調べ、即時発声フラグが付加されている場合、即時にメールに添付された音声ファイルあるいはテキストデータを音声合成して音声として発声させる。
また、上記において、以下のように構成することもできる。
（１）人の有無を検出する人体センサを設け、該人体センサにより検出された人の有無に応じて、上記音声で出力する手段の動作をオン／オフする手段を設ける。
（２）送信側に音量指定手段を設け、即時発声指示が指定されたメールに音量データを設定し、即時発声フラグが設定されているメールを受信した際、該メールに設定された音量データに基づき、添付された音声データの発声時の音量を設定する。
【発明の効果】
【０００５】
本発明においては、以下の効果を得ることができる。
（１）着呼側において格別の操作をすることなく、受信者に音声メッセージを伝えることができ、携帯端末の操作に不慣れな人に対しても音声でメッセージを伝えることができる。また、緊急の音声通知や強制の音声通知を除外し受信しないようにするといったことも防ぐことができる。
（２）人体センサを設け、該人体センサにより検出された人の有無に応じて、上記音声で出力する手段の動作をオン／オフする手段を設けることにより、受信者が携帯端末装置の近傍にいないことを検出し、音声出力の動作をオフ状態に設定することができる。
このため、受信者が携帯端末近傍に居ないにも係わらず受信メールが音声で発声されるといった問題を防ぐことができる。
（３）即時発声指示が指定されたメールに音量データを設定できるようにすることにより、メッセージの重要度等に応じて、送信側から発声するメッセージの音量を設定することができ、必要に応じて受信者の喚起を促すことができる。
【発明を実施するための最良の形態】
【０００６】
図２は、本発明の実施例の携帯端末装置のハードウェア構成の一例を示す図である。
同図において、１１はメール情報等を送受信するための送受信部、１２は復変調器、１３はＣＰＵである。
ＣＰＵ１３には、プログラムや各種データを格納するためのメモリ１４、音声部１５、液晶パネル（ＬＣＤ）等から構成される表示部１６、操作キー入力部１７が接続されている。
音声部１５はマイク１８から入力された音声情報を音声データに変換したり、テキストデータを音声信号に変換しスピーカ１９から出力する。操作キー入力部１７には、前記各種操作キーが設けられている。
【０００７】
図３は本発明の実施例の携帯端末装置の送信部の機能構成を示すブロック図である。
同図において、１８はマイク、２１は操作キーであり、マイク１８から音声データを入力し、操作キー２１によりテキストデータの入力などの各種操作を行う。また、２２は入力部、２３はメール作成部、２４は送信部、１６は表示部であり、これらは主コントロール部２５により制御される。
上記入力部２２は前記した即時発声の指示を入力する機能を有し、またメール作成部２３は即時音声発声フラグなどのフラグをメールヘッダに付加する機能を備えている。
通常のメールを送信する場合には、表示部１６の画面を見ながら操作キー２１を操作してアドレス入力部２２ｂにより送信先のメールアドレスを設定したのち、操作キー２１により文字入力部２２ａからメール文となるテキストデータを入力する。
入力されたメールアドレス、メール文はメール作成部２３でメールヘッダが付加されてメールとして作成され送信部２４からメールサーバに送信される。
【０００８】
音声入力により即時発声の音声メールを送信する場合は、操作キー２１を操作してアドレス入力部２２ｂにより送信先のメールアドレスを設定したのち、操作キー２１を操作して即時発声メールであることを即時発声指示入力部２２ｃに設定する。また、マイク１８から音声メッセージを入力する。音声入力部２２ｅは入力された音声メッセージを音声データに変換する。さらに必要に応じて、操作キー２１を操作して音声メッセージの受信側での音量を音量設定部２２ｄに設定する。
メール作成部２３は、入力された音声データを添付ファイルとしてメールを作成し、メールヘッダを付加する。この場合、メールヘッダには、即時発声メールであることを示す即時発声フラグが設定される。
図４は上記即時発声フラグ、音量データが付加されたメールヘッダの一例を示す図である。即時発声メールの場合、同図に示すように、Ｓｕｂｊｅｃｔ、あるいはメッセージ本文に、”＠＠＠”等の任意に文字列を即時発声フラグとして挿入する。また、音量設定部２２ｄで受信側での音量が設定されている場合には、同様に、メールヘッダに音量フラグである”ｏｔｏ＝１”、”ｖｏｌ５”などの音量を示す任意の文字列を挿入する。
メール作成部２３で作成された音声データが添付ファイルとして添付されたメールは送信部２４からメールサーバに送信される。
【０００９】
テキスト入力により即時発声のメールを送信する場合は、表示部１６の画面を見ながら、操作キー２１を操作してアドレス入力部２２ｂにより送信先のメールアドレスを設定したのち、操作キー２１を操作して即時発声メールであることを即時発声指示入力部２２ｃに設定する。また、操作キー２１により文字入力部２２ａからメール本文となるテキストデータを入力する。
入力されたメールアドレス、メール本文はメール作成部２３で、上記のようにメールヘッダが付加され、メールヘッダには即時発声メールであることを示す即時発声フラグが設定される。また、音量設定部２２ｄで受信側での音量が設定されている場合には、上記のようにメールヘッダに音量フラグが挿入される。
メール作成部２３で作成されたメールは送信部２４からメールサーバに送信され、受信側では、上記メール本文を音声データに変換して音声で発声する。
【００１０】
図５は本発明の第１の実施例の携帯端末装置の受信部の機能構成を示すブロック図である。
同図において、３１は受信部、３２はメール分析部、３３は音声合成部、３４は音声発声部、１６は表示部、１９はスピーカであり、これらは主コントロール部３５により制御される。
メール分析部３２はメールヘッダを解析し、即時音声フラグなどのフラグが付加されているかをチェックし、即時発声メールであるか否かを判断する機能を備えている。
メールサーバから受信部３１でメールを受信すると、メール分析部３２は、メールヘッダを解析し、メールヘッダに即時発声フラグが設定されている場合、受信したメールが即時発声メールであると判断する。
即時発声メールであり、かつメールに音声データが添付されている場合、表示部１６に送信元を表示するとともに、上記添付された音声データを音声発声部３４に送る。また、音量フラグが設定されている場合には、音量データを音声発声部３４に送る。
音声発声部３４は上記設定された音量で音声をスピーカ１９から出力する。なお、音量フラグが設定されていない場合には、予め設定された音量で音声出力する。
【００１１】
また、即時発声メールであり、音声データが添付されていない場合には、表示部１６に送信元を表示するとともに、メール本文のテキストデータを音声合成部３３に送る。また、音量フラグが設定されている場合には、音量データを音声発声部３４に送る。
音声合成部３３は、テキストデータを音声に変換し、音声発声部３４は音声に変換された音声データを上記設定された音量でスピーカ１９から出力する。
また、メールヘッダに即時発声フラグが付加されていない場合には、メール分析部３２は、通常メールとして送信元、メール本文などを表示部１６に送り、表示部１６に受信したメールが表示される。
【００１２】
図６は本実施例の携帯端末装置の送信処理のフローチャートである。
同図において、送信先のメールアドレスが設定されると（ステップＳ１）、即時発声機能の設定がされているかを調べる（ステップＳ２）。即時発声機能の設定がなされていなければ、ステップＳ５に行き、キー操作によりメール文を入力し、通常メールとしてメールが送信される（ステップＳ９）。
また、即時発声機能が設定されていれば、メールヘッダに即時発声フラグを設定する。また、音量が設定されていれば前記したようにメールヘッダに音量フラグを設定する。
ついで、音声入力の場合には、マイクより音声入力を行なう（ステップＳ４，Ｓ６）。入力された音声は音声データに変換され（ステップＳ７）、音声データを添付ファイルとしてメール本文に添付することにより音声メールが作成され、メールが送信される（ステップＳ８，Ｓ９）。
また、音声入力でない場合には、ステップＳ５に行き、キー操作によりメール文を入力する。これにより、ヘッダに即時発声フラグ（必要に応じて音量フラグ）が設定されたメールが送信される。
【００１３】
図７は本実施例の携帯端末装置の受信処理のフローチャートである。
同図において、メールサーバにアクセスしてメールを受信すると（ステップＳ１，Ｓ２）、メールヘッダの即時発声フラグをチェックする（ステップＳ３）。
即時発声フラグが設定されていなければ、ステップＳ４にいき、通常メールとして処理する。すなわち、表示部に受信したメール文を表示する。
また、即時音声フラグが設定されている場合には、メールがテキストであるか、音声データ添付であるかを調べる（ステップＳ５）。
メールがテキストであれば、メール中のテキストを音声合成によって読み、音声出力する（ステップＳ６）。その際、音量フラグが設定されていれば、設定された音量で音声出力する。
また、メールが音声データ添付であれば、添付ファイルの音声データを再生して音声出力する（ステップＳ７）。また、上記と同様、音量フラグが設定されていれば、設定された音量で音声出力する。
【００１４】
図８は本発明の第２の実施例の携帯端末装置の受信部の機能構成を示すブロック図である。
同図において、図３と同様、３１は受信部、３２はメール分析部、３３は音声合成部、３４は音声発声部、１６は表示部、１９はスピーカ、３５は主コントロール部であり、本実施例では、人体センサ３６と、音声データ記録／再生部３７と、音声データの保存部３８が追加されている。
人体センサ３６は携帯端末装置に取り付けられており、近傍に人がいるかを検知することにより、使用者が本携帯端末装置を所持しているかを判別する。
音声データ記録／再生部３７は、人体センサ３６により人の存在が検出されている場合には、受信したメールに添付された音声データ、あるいは、受信したテキストメールを音声合成部３３で音声合成した音声データを、即時に音声発声部３４に送り、音声出力をする。
【００１５】
また、人体センサ３６により人の存在が検知されない場合、音声データ記録／再生部３７は、上記音声データを音声データ保存部３８に保存する。そして、人体センサ３６により人の存在が検知されると、上記音声データ保存部３８に保存された音声データを音声発声部３４に送り、音声出力する。
その他の動作は前記図３で説明したのと同様である。
本実施例によれば、携帯端末装置を使用者が所持していない場合、受信した音声データを音声データ保存部３８に保存しておき、使用者が携帯端末装置を所持したときに、受信した音声データを音声出力するようにしたので、使用者は受信した音声メールを聞き損なうことがない。
【図面の簡単な説明】
【００１６】
【図１】本発明の携帯端末装置の動作の概要を説明する図である。
【図２】本発明の実施例の携帯端末装置のハードウェア構成の一例を示す図である。
【図３】本発明の実施例の携帯端末装置の送信部の機能構成を示すブロック図である。
【図４】即時発声フラグ、音量データが付加されたメールヘッダの一例を示す図である。
【図５】本発明の第１の実施例の携帯端末装置の受信部の機能構成を示すブロック図である。
【図６】本発明の実施例の携帯端末装置の送信処理のフローチャートである。
【図７】本発明の実施例の携帯端末装置の受信処理のフローチャートである。
【図８】本発明の第２の実施例の携帯端末装置の受信部の機能構成を示すブロック図である。
【符号の説明】
【００１７】
１    即時発声指示入力部
２    メールヘッダ付加部
３    メッセージ入力部
４    メールデータ作成部
５    送信部
６    受信部
７    ヘッダ解析部
８    通常メール処理部
９    発声部
１１  送受信部
１２  復変調器
１３  ＣＰＵ
１４  メモリ
１５  音声部
１６  表示部
１７  操作キー入力部
１８  マイク
１９  スピーカ
【図１】
2006338335.tif 000003
【図２】
2006338335.tif 000004
【図３】
2006338335.tif 000005
【図４】
2006338335.tif 000006
【図５】
2006338335.tif 000007
【図６】
2006338335.tif 000008
【図７】
2006338335.tif 000009
【図８】
2006338335.tif 000010